(57)【特許請求の範囲】
【請求項１】
電気機器の電力使用量を監視して当該電気機器を制御する電力監視制御を行う電力管理システムにおいて、
複数の電気機器によって使用される電力が供給される主幹ブレーカと、
前記主幹ブレーカから分岐して電気機器に電力を供給する分岐電路のそれぞれに設けられた複数の分岐ブレーカと、
各分岐ブレーカを介して電気機器に供給される電力使用量を計測する計測手段と、
前記分岐ブレーカの識別子と各分岐ブレーカに接続されている前記電気機器の種類情報とを対応付けた第１対応情報と、前記電気機器の種類情報と当該種類情報に関連したアドバイス情報とを対応付けた第２対応情報とを記憶した記憶手段と、
前記計測手段により計測された前記分岐ブレーカの電気機器の電力使用量が、前記アドバイス情報を提示すべき所定の条件を満たした場合に、当該分岐ブレーカに接続されている電気機器の種類情報に対応付けられたアドバイス情報を前記記憶手段から読み出して、当該アドバイス情報を提示する提示手段と
を備えたことを特徴とする電力管理システム。
【請求項２】
電気機器の電力使用量を監視して当該電気機器を制御する電力監視制御を行う電力管理システムにおいて、
複数の電気機器によって使用される電力が供給される主幹ブレーカと、
前記主幹ブレーカから分岐して電気機器に電力を供給する分岐電路のそれぞれに設けられた複数の分岐ブレーカと、
各分岐ブレーカを介して電気機器に供給される電力使用量を計測する計測手段と、
前記分岐ブレーカの識別子と各分岐ブレーカに接続されている前記電気機器の場所情報とを対応付けた第１対応情報と、前記電気機器の場所情報と当該場所情報に関連したアドバイス情報とを対応付けた第２対応情報とを記憶した記憶手段と、
前記計測手段により計測された前記分岐ブレーカの電気機器の電力使用量が、前記アドバイス情報を提示すべき所定の条件を満たした場合に、当該分岐ブレーカに接続されている電気機器の場所情報に対応付けられたアドバイス情報を前記記憶手段から読み出して、当該アドバイス情報を提示する提示手段と
を備えたことを特徴とする電力管理システム。
【請求項３】
電気機器の電力使用量を監視して当該電気機器を制御する電力監視制御を行う電力管理システムにおいて、
複数の電気機器によって使用される電力が供給される主幹ブレーカと、
前記主幹ブレーカから分岐して電気機器に電力を供給する分岐電路のそれぞれに設けられた複数の分岐ブレーカと、
各分岐ブレーカを介して電気機器に供給される電力使用量を計測する計測手段と、
前記分岐ブレーカの識別子と各分岐ブレーカに接続されている前記電気機器の種類情報及び場所情報とを対応付けた第１対応情報と、前記電気機器の種類情報及び場所情報と当該種類情報及び場所情報に関連したアドバイス情報とを対応付けた第２対応情報とを記憶した記憶手段と、
前記計測手段により計測された前記分岐ブレーカの電気機器の電力使用量が、前記アドバイス情報を提示すべき所定の条件を満たした場合に、当該分岐ブレーカに接続されている電気機器の種類情報及び場所情報に対応付けられたアドバイス情報を前記記憶手段から読み出して、当該アドバイス情報を提示する提示手段と
を備えたことを特徴とする電力管理システム。
【請求項４】
前記所定の条件は、全ての分岐ブレーカを介した電気機器の電力使用量の履歴のうち所定期間における電力使用量の履歴が最大であった場合であり、
前記提示手段は、前記計測手段により計測された電気機器の電力使用量に基づいて、前記分岐ブレーカの識別子ごとの電力使用量の履歴のうち最大の電力使用量となっている分岐ブレーカの識別子に対応付けられたアドバイス情報を提示することを特徴とする請求項１乃至請求項３の何れか一項に記載の電力管理システム。
【請求項５】
前記提示手段は、全ての分岐ブレーカを介した電気機器の電力使用量の履歴のうち所定期間における電力使用量の履歴が最大となる電気機器が固定的である場合には、当該電気機器以外の電気機器のうち前記分岐ブレーカの識別子ごとの電力使用量の履歴によって最大の電力使用量となっている電気機器に対応付けられたアドバイス情報を提示することを特徴とする請求項４に記載の電力管理システム。
【請求項６】
前記所定の条件は、電力使用量の上昇度合いが最も高い場合であり、
前記提示手段は、所定期間における電力使用量の履歴に基づいて、電力使用量が最も上昇したことが前記計測手段により計測された前記分岐ブレーカに対応した電気機器のアドバイス情報を提示すること特徴とする請求項１乃至請求項３の何れか一項に記載の電力管理システム。
【請求項７】
各電気機器に電力使用量の目標値を設定する目標設定手段を備え、
前記所定の条件は、各電気機器の電力使用量が目標値を超えた場合であり、
前記提示手段は、前記目標設定手段により設定された目標値を超えたと判定した電気機器のアドバイス情報を提示することを特徴とする請求項１乃至請求項３の何れか一項に記載の電力管理システム。
【請求項８】
前記所定の条件は、全ての電気機器の電力使用量が目標値以下である場合であり、
前記提示手段は、前記計測手段により計測された前記分岐ブレーカの電力使用量に基づいて、前記全ての電気機器の電力使用量が目標値以下である場合には、前記電気機器の名称が設定されている電気機器に関連するアドバイス情報と前記電気機器が設置されている場所に関連するアドバイス情報とを順次提示することを特徴とする請求項７に記載の電力管理システム。
【請求項９】
前記提示手段は、同じ種類の電気機器グループの総電力使用量が所定の条件を満たした場合に、当該電気機器に対応したアドバイス情報を提示する処理を行うことを特徴とする請求項１乃至請求項３の何れか一項に記載の電力管理システム。
【請求項１０】
前記提示手段は、同じ場所に設けられた電気機器からなる場所グループの総電力使用量が所定の条件を満たした場合に、当該場所に対応したアドバイス情報を提示する処理を行うことを特徴とする請求項１乃至請求項３の何れか一項に記載の電力管理システム。
【請求項１１】
前記記憶手段には、前記アドバイス情報に対応付けて季節情報を記憶しておき、
前記提示手段は、標準時刻に従って日付を更新する時計機能を有し、前記所定の条件を満たした場合に、前記時計機能にて更新されている日付に対応した季節に対するアドバイス情報を前記記憶手段から読み出して提示することを特徴とする請求項１乃至請求項１０の何れか一項に記載の電力管理システム。
【発明の詳細な説明】
【技術分野】
【０００１】
本発明は、多数の電気機器によって使用する電力をそれぞれの電気機器ごとに監視し、各電気機器の電力使用量を制御する電力管理システムに関する。
【背景技術】
【０００２】
従来より、電気機器の電力使用量を監視及び制御する技術としては、下記の特許文献１などにて知られている。この特許文献１には、宅内の電力使用量を計測して表示するものである。特に、この特許文献１には、宅内の分岐回路単位の使用時間帯別の電力使用量を表示している。
【０００３】
具体的には、特許文献１に記載の電力使用量の表示装置は、電力配電線を複数の分岐ブレーカにより複数の分岐回路に分岐し、複数の分岐回路のそれぞれと該複数の分岐回路全体の所定時間毎の平均使用電流値、電力配電線の平均電圧値を測定する。そして、分岐回路ごとの平均使用電流値と、電力配電線の平均電圧値とから、複数の分岐回路それぞれの電力使用量及び分岐回路全体の使用電力量を求め、分岐回路それぞれの各平均使用電流値と各電力使用量とを表示している。
【特許文献１】特開平１０−８２８０１号公報
【発明の開示】
【発明が解決しようとする課題】
【０００４】
しかしながら、上述したように分岐回路ごとに平均使用電流値と電力使用量とを演算して、分岐回路ごとや、使用時間帯ごとに表示するのみでは、ユーザに対して的確なアドバイスができているとは言い難かった。
【０００５】
そこで、本発明は、上述した実情に鑑みて提案されたものであり、ユーザに対してより効果的なアドバイスを提示することができる電力管理システムを提供することを目的とする。
【課題を解決するための手段】
【０００６】
本発明は、電気機器の電力使用量を監視して当該電気機器を制御する電力監視制御を行う電力管理システムにおいて、複数の電気機器によって使用される電力が供給される主幹ブレーカと、主幹ブレーカから分岐して電気機器に電力を供給する分岐電路のそれぞれに設けられた複数の分岐ブレーカと、各分岐ブレーカを介して電気機器に供給される電力使用量を計測する計測手段とを備える。このような電力管理システムは、予め記憶手段に、分岐ブレーカの識別子と各分岐ブレーカに接続されている電気機器の種類情報とを対応付けた第１対応情報と、電気機器の種類情報と当該種類情報に関連したアドバイス情報とを対応付けた第２対応情報とを記憶しておき、計測手段により計測された分岐ブレーカの電気機器の電力使用量が、アドバイス情報を提示すべき所定の条件を満たした場合に、提示手段によって、当該分岐ブレーカに接続されている電気機器の種類情報に対応付けられたアドバイス情報を記憶手段から読み出して、当該アドバイス情報を提示する。
【０００７】
また、この電力管理システムは、予め記憶手段に、分岐ブレーカの識別子と各分岐ブレーカに接続されている電気機器の場所情報とを対応付けた第１対応情報と、前記電気機器の場所情報と当該場所情報に関連したアドバイス情報とを対応付けた第２対応情報とを記憶しておき、計測手段により計測された分岐ブレーカの電気機器の電力使用量が、アドバイス情報を提示すべき所定の条件を満たした場合に、提示手段によって、当該分岐ブレーカに接続されている電気機器の場所情報に対応付けられたアドバイス情報を記憶手段から読み出して、当該アドバイス情報を提示しても良い。
【０００８】
更に、電力管理システムは、予め記憶手段に、分岐ブレーカの識別子と各分岐ブレーカに接続されている電気機器の種類情報及び場所情報とを対応付けた第１対応情報と、電気機器の種類情報及び場所情報と当該種類情報及び場所情報に関連したアドバイス情報とを対応付けた第２対応情報とを記憶しておき、計測手段により計測された分岐ブレーカの電気機器の電力使用量が、アドバイス情報を提示すべき所定の条件を満たした場合に、提示手段によって、当該分岐ブレーカに接続されている電気機器の種類情報及び場所情報に対応付けられたアドバイス情報を記憶手段から読み出して、当該アドバイス情報を提示しても良い。
【発明の効果】
【０００９】
本発明によれば、電気機器の種類や場所に対応したアドバイス情報を記憶しておき、電気機器の種類や場所に応じた電力使用量が、アドバイス情報を提示すべき所定の条件を満たした場合に、当該電気機器の種類、場所に対応したアドバイス情報を提示するので、ユーザに対してより効果的なアドバイスを提示することができる。
【発明を実施するための最良の形態】
【００１０】
以下、本発明の実施の形態について図面を参照して説明する。
【００１１】
本発明を適用した電力管理システムは、例えば図１に示すように、情報ブレーカ（制御端末）１に、エネルギーマネジメントユニット２とネットリモコン３，ネットリモコン４とワイヤレスセキュリティネットアダプタ５と玄関番ネットアダプタ６とコントロールパネル７とナビ／ＰＣ８とが接続されて構成されている。この電力管理システムは、電気機器９の電力使用量の節約を促すために、住宅における各種の電気機器９によって使用される電力使用量を監視して、当該電気機器９を使用したことに対するアドバイス情報を提示するものである。
【００１２】
このアドバイス情報は、ユーザに電気機器９の電力使用量を節減させるための適切なアドバイスであり、所定の条件を満たした電気機器９についてのアドバイスである。したがって、このアドバイス情報は、各電気機器９の電力使用量として提示されるのではなく、各電気機器９の節減を促すためのメッセージであったり、電気機器９の電力使用量が過大となっていなくても提示される種類のメッセージであったりする。
【００１３】
この電気機器９は、ネットリモコン３，ネットリモコン４に接続される。例えば、ネットリモコン３には、住宅内のリビングに設置された照明装置、空調装置などの電気機器９が接続され、ネットリモコン４には、キッチンに設置されたＩＨヒータ等の電気機器９が接続される。なお、ネットリモコン３，ネットリモコン４には、住宅内の部屋ごとに各種の電気機器９が接続される構成ではなく、空調装置のみ又は照明装置のみが接続されるネットリモコンのように電気機器９の種類に応じたものであっても良い。
【００１４】
また、ネットリモコン４には、ワイヤレスセキュリティシステム１０が接続されている。このワイヤレスセキュリティシステム１０は、人感センサ、ドア開閉センサ、窓開閉センサ、煙センサ等のセンサ類、異常報知ボタン、当該センサ類によって検知されたセンサ信号や異常報知ボタンの操作信号を受信するワイヤレス受信器、ワイヤレス受信器によって受信したセンサ信号や操作信号が異常である場合に報知を行う報知装置などの電気機器９で構成されている。ワイヤレスセキュリティネットアダプタ５は、ワイヤレスセキュリティシステム１０によって検知されたセンサ信号や操作信号をワイヤレス受信器から受信した場合に、当該センサ信号や操作信号を情報ブレーカ１を介して外部に出力する。
【００１５】
玄関番ネットアダプタ６には、宅内に設置されたディスプレイやスピーカ及びマイク等を備えた親器、玄関に設けられて呼出ボタンやカメラ、マイク及びスピーカ等を備えたドアホン子機、センサカメラなどの電気機器９を備える玄関番システム１１が接続されている。玄関番ネットアダプタ６は、例えば、ドアホン子機が操作されたことの操作信号やカメラによって撮像した映像を情報ブレーカ１を介して外部に出力する。
【００１６】
コントロールパネル７は、電気機器９の電力使用量に関する情報や、電気機器９を使用したことに対するアドバイス情報や、電気機器９、ワイヤレスセキュリティシステム１０、玄関番システム１１の設定に関する情報を表示するディスプレイや、入力デバイスを備える。コントロールパネル７は、各種の情報を表示させる時には情報ブレーカ１に対して当該情報の送信を要求し、各種の設定をする時には制御信号を情報ブレーカ１に対して送信する。
【００１７】
ナビ／ＰＣ８は、Ｗｅｂブラウザ機能を備えている。ナビ／ＰＣ８は、Ｗｅｂサーバ搭載機器に格納されているＷｅｂコンテンツを介して電気機器９等を監視するコマンドや、電気機器９等を制御するコマンドを出力する。
【００１８】
また、情報ブレーカ１は、ルータ１５及びモデム１４を介してインターネット通信網１３に接続され、当該インターネット通信網１３を介してセンターサーバ１２及び携帯端末２０との間で情報の授受を行う。
【００１９】
センターサーバ１２は、ネットワーク機能を有する汎用のコンピュータ装置で構成されている。センターサーバ１２は、携帯端末２０から送信された情報ブレーカ１宛ての情報や情報ブレーカ１から送信された情報を中継する機能を備えている。
【００２０】
具体的には、センターサーバ１２は、ユーザの住宅に設けられた情報ブレーカ１のＩＰアドレスと、携帯端末２０のＩＰアドレスとの対応関係を記憶しておく。センターサーバ１２は、例えば、携帯端末２０から宅内の状況を通知するコマンドが送信された場合には、当該携帯端末２０のＩＰアドレスに対応した情報ブレーカ１に対して宅内の状況情報を返信するコマンドを送信し、情報ブレーカ１から送信された宅内の状況情報を携帯端末２０に転送する。また、センターサーバ１２は、携帯端末２０から、宅内の電気機器９を制御するコマンドを受信した場合には、携帯端末２０のＩＰアドレスに対応した情報ブレーカ１にコマンドを転送して、電気機器９を動作させる。
【００２１】
このように構成された電力管理システムにおけるエネルギーマネジメントユニット２は、戸建て住宅や集合住宅に設置された宅内分電盤に備えられる。この宅内分電盤には、図３に示すように、商用電源が供給され、当該商用電源と主幹ブレーカ４０及び分岐ブレーカ４１とが接続されている。分岐ブレーカ４１には、例えば、２００Ｖ専用回路、１００Ｖ専用回路、コンセント照明回路といったように区分されている。また、分岐ブレーカ４１は、当該区分内においてそれぞれ異なる電気機器９に接続されている。
【００２２】
商用電源によって供給された電力は、先ず主幹ブレーカ４０に供給され、その後に分岐電路のそれぞれに設けられた複数の分岐ブレーカ４１に供給されることによって各電気機器９に供給される。したがって、主幹ブレーカ４０には、宅内で動作している全部の電気機器９が動作するための電流が流れ、各分岐ブレーカ４１には、各電気機器９が動作するための電流が流れる。
【００２３】
エネルギーマネジメントユニット２は、図２に示すように、マイコン等で構成される演算部３１に、商用電源と接続されて宅内における複数の電気機器９に電力を供給する主幹ブレーカ４０に接続された主幹電流検出部３２及び電力演算部３３と、分岐ブレーカ４１が接続された分岐ブレーカ電流検出部３４と、一時分岐ブレーカ３５と、制御部３６と、アドバイス情報記憶部３７が接続されている。
【００２４】
このエネルギーマネジメントユニット２は、電力計測インターフェースとして主幹電流検出部３２，電力演算部３３及び分岐ブレーカ電流検出部３４を備えている。エネルギーマネジメントユニット２は、主幹電流検出部３２によって主幹ブレーカ４０に流れている電流値を検出し、電力演算部３３によって主幹ブレーカ４０を介して宅内の全体での電力使用量を演算して、演算部３１に供給する。また、エネルギーマネジメントユニット２は、分岐ブレーカ電流検出部３４によって各分岐ブレーカ４１から電気機器９に供給されている電流値を検出して、演算部３１に供給する。このような分岐ブレーカ電流検出部３４は、各分岐ブレーカ４１によって電気機器９に供給される電力使用量を計測する計測手段として機能する。
【００２５】
図１に示した電力管理システムにおいて、分岐ブレーカ４１は、宅内に設置されている電気機器９ごとに設けられていても良く、宅内の部屋ごとに設けられていても良く、宅内の電気機器９の種類ごとに設けられていても良い。分岐ブレーカ電流検出部３４は、分岐ブレーカ４１ごとに設けられており、分岐ブレーカ４１が部屋ごとに設けられている場合には部屋ごとに設けられている電気機器９の電力使用量を検出し、分岐ブレーカ４１が電気機器９の種類ごとに設けられている場合には電気機器９の種類ごとの電気機器９の電力使用量を検出する。
【００２６】
演算部３１は、各電気機器９の電流定格情報と分岐ブレーカ電流検出部３４により計測された各分岐ブレーカ４１の電力使用量が、アドバイス情報を提示すべき所定の条件を満たしたかを判定する。演算部３１は、分岐ブレーカ４１のＩＤごとに、例えば１日、１週間、１ヶ月といった所定期間の電力使用量の履歴を記憶しておき、当該電気使用量の履歴が所定の条件を満たしたかを判定しても良い。
【００２７】
演算部３１は、各電気機器９の電力使用量が所定の条件を満たした場合には、当該電気機器９のＩＤに対応付けられたアドバイス情報をアドバイス情報記憶部３７から読み出す。そして、演算部３１は、読み出したアドバイス情報を制御部３６からコントロールパネル７に対して送信させる。これにより、エネルギーマネジメントユニット２は、電気機器９に関するアドバイス情報をユーザに提示する。
【００２８】
このような演算部３１における所定の条件は、所定期間における電力使用量の履歴が最大であった場合とすると、演算部３１は、分岐ブレーカ電流検出部３４により計測された分岐ブレーカ４１の電力使用量に基づいて、電気機器９ごとの電力使用量の履歴のうち最大の電力使用量となっている分岐ブレーカ４１のＩＤに対応付けられた電気機器の種類又は場所に関するアドバイス情報を提示する。
【００２９】
コントロールパネル７は、例えば図４（ａ）に示すようなメニュー画像１００Ａをディスプレイに表示させている状態では、ネットリモコン３に接続されている電気機器９の状態を表示させるためのアイコン、ネットリモコン４に接続されている電気機器９の状態を表示させるためのアイコン、情報ブレーカ１と接続された各種機器との間のネット接続状態を表示させるためのアイコンと共に、電気機器９の使用状態を表示させるためのアイコン１０１を表示している。
【００３０】
この状態において、ユーザの操作によってアイコン１０１が選択されると、コントロールパネル７は、エネルギーマネジメントユニット２に対して、１ヶ月の電力使用量のうち最大の電力使用量であったという所定の条件を満たした電気機器（ＩＨヒータ）９に関するアドバイス情報を送信することを要求して、アドバイス情報を取得する。そして、コントロールパネル７は、図４（ｂ）に示すように、「ＩＨの１ヶ月の使用量は○Ｗｋｈだよ。」というアドバイス情報と共に、エコモニタアイコン１０２，省エネアドバイスアイコン１０３を含むアドバイス情報画像１００Ｂを表示させる。これによって、電力管理システムは、ユーザに対して、ＩＨヒータの電気使用量に対する省エネ喚起を行うことができる。
【００３１】
この状態において、ユーザの操作によって省エネアドバイスアイコン１０３が選択されると、コントロールパネル７は、図４（ｃ）に示すように、アドバイス情報記憶部３７にＩＨヒータに対応付けて記憶されたＩＨヒータに関するアドバイス情報１０５を読み出して、当該アドバイス情報１０５を含むアドバイス情報画像１００Ｃを表示させる。これによって、電力管理システムは、ユーザに対して、ＩＨヒータを使用する際において省エネ喚起を行うことができる。
【００３２】
アドバイス情報記憶部３７には、図５に示すような分岐ブレーカ４１のＩＤ（識別子）と各分岐ブレーカ４１に接続されている電気機器９の種類情報とを対応付けた第１対応情報と、図６に示すような電気機器９の種類情報と当該種類情報に関連したアドバイス情報とを対応付けた第２対応情報とが記憶されている。また、この第２対応情報には、アドバイス情報に対応して季節情報が格納されている。
【００３３】
これによって、エネルギーマネジメントユニット２は、分岐ブレーカ電流検出部３４により計測された分岐ブレーカ４１の電気機器９の電力使用量が、アドバイス情報を提示すべき所定の条件を満たした場合に、当該分岐ブレーカ４１に接続されている電気機器９の種類情報に対応付けられたアドバイス情報をアドバイス情報記憶部３７から読み出して、当該アドバイス情報を提示することができる。
【００３４】
また、アドバイス情報記憶部３７には、図５に示した分岐ブレーカＩＤと各分岐ブレーカ４１に接続されている電気機器９の場所情報とを対応付けた第１対応情報と、図７に示すような電気機器９の場所情報と当該場所情報に関連したアドバイス情報とを対応付けた第２対応情報とを記憶しておいても良い。この第２対応情報にも、アドバイス情報に対応して季節情報が格納されている。
【００３５】
これによって、エネルギーマネジメントユニット２は、分岐ブレーカ電流検出部３４により計測された分岐ブレーカ４１の電気機器９の電力使用量が、アドバイス情報を提示すべき所定の条件を満たした場合に、当該分岐ブレーカ４１に接続されている電気機器９の場所情報に対応付けられたアドバイス情報をアドバイス情報記憶部３７から読み出して、当該アドバイス情報を提示することができる。
【００３６】
更に、アドバイス情報記憶部３７には、図５に示した分岐ブレーカＩＤと各分岐ブレーカ４１に接続されている電気機器９の種類情報及び場所情報とを対応付けた第１対応情報と、図８に示すような電気機器９の種類情報と場所情報と当該種類情報及び場所情報に関連したアドバイス情報とを対応付けた第２対応情報とを記憶しておいても良い。なお、この図８に示す第２対応情報にも、季節情報を付加しても良い。
【００３７】
これによって、エネルギーマネジメントユニット２は、分岐ブレーカ電流検出部３４により計測された分岐ブレーカ４１の電気機器９の電力使用量が、アドバイス情報を提示すべき所定の条件を満たした場合に、当該分岐ブレーカ４１に接続されている電気機器９の種類情報及び場所情報に対応付けられたアドバイス情報をアドバイス情報記憶部３７から読み出して、当該アドバイス情報を提示することができる。すなわち、このエネルギーマネジメントユニット２は、図８に示す第２対応情報を用意しておくだけで、エアコンについても場所が異なる場合では、各場所に特化したエアコンのアドバイス情報を提示することができる。
【００３８】
更に、第２対応情報のアドバイス情報に対応して季節情報を格納しておくことによって、エネルギーマネジメントユニット２は、所定の条件を満たした場合に、標準時刻に従って日付を更新する時計機能にて更新されている日付に対応した季節に対するアドバイス情報をアドバイス情報記憶部３７から読み出して提示することができる。これにより、電力管理システムは、エアコンに対するアドバイス情報を提示する場合には、日付や季節に基づいて、暖房に関するアドバイスと、冷房に関するアドバイスとを切り換えて提示することができる。
【００３９】
具体的に説明すると、図５に示す第１対応情報は、例えば、分岐ブレーカＩＤによって特定される分岐ブレーカ４１ごとに、照明、コンセント、エアコンといった電気機器９に対して複数個記憶されていることを表している。図６のアドバイス情報のうち、演算部３１は、電気機器９が満たした電力使用量についての所定条件、季節又は時間帯における分岐ブレーカ４１ごとの電力使用量の履歴に基づいて、当該分岐ブレーカ４１に対応した電気機器の種類又は場所に対応した任意のアドバイス情報を選択する。
【００４０】
また、アドバイス情報を提示する所定の条件を「所定期間における電力使用量が最大の電気機器９」としたが、例えば、湯沸かし器などの所定期間における電力使用量の履歴が最大となる電気機器９が固定的、すなわち、宅内で電力使用量となる電気機器９が単一と決まっている場合には、当該電気機器９以外の電気機器９のうち電力使用量の履歴が最大の電力使用量となっている電気機器９に対応付けられたアドバイス情報を提示しても良い。これにより、単一の所定の条件によって固定的なアドバイス情報が提示されることを避けて、各住宅によって適切且つ効果的なアドバイスを提示することができる。
【００４１】
更に、アドバイス情報を提示する所定の条件を、電力使用量の上昇度合いが最も高い場合とし、演算部３１は、所定期間における電力使用量の履歴に基づいて、電力使用量が最も上昇したことが分岐ブレーカ電流検出部３４により計測された分岐ブレーカ４１に対応した電気機器９のアドバイス情報を提示しても良い。例えば、分岐ブレーカ４１の電力使用量の履歴として、昨年の同じ日に計測した分岐ブレーカ４１の電力使用量を使用し、当該分岐ブレーカ４１の電力使用量を分岐ブレーカ電流検出部３４によって計測した結果と比較して、電力使用量が昨年と比較して上昇している度合いが最も高い分岐ブレーカ４１に接続された電気機器９を識別する。そして、電気機器９に対応したアドバイス情報を読み出して、アドバイスを提示することができる。
【００４２】
更にまた、エネルギーマネジメントユニット２は、各電気機器９に電力使用量の目標値を設定する目標設定機能を備え、所定の条件を、各電気機器９の電力使用量が目標値を超えた場合とする。この目標値は、例えば電気機器９の平均的な消費電力に基づいて予め設定しておいても良く、分岐ブレーカ電流検出部３４によって取得した分岐ブレーカ４１の電力使用量の履歴に基づいて設定しても良い。これによって、エネルギーマネジメントユニット２は、分岐ブレーカ電流検出部３４によって計測された分岐ブレーカ４１の電力使用量から、目標設定機能により設定された目標値を超えたと判定した電気機器９のアドバイス情報を提示することができる。
【００４３】
更にまた、エネルギーマネジメントユニット２は、所定の条件を、全ての電気機器９の電力使用量が目標値以下である場合としても良い。例えば、分岐ブレーカ電流検出部３４によって計測された分岐ブレーカ４１の電力使用量が何れも高くない場合には、この所定の条件に当てはまる。そして、演算部３１は、分岐ブレーカ電流検出部３４により計測された分岐ブレーカ４１の電力使用量に基づいて、全ての電気機器９の電力使用量が目標値以下である場合には、電気機器９の名称が設定されている電気機器９に関連するアドバイス情報と電気機器９が設置されている場所に関連するアドバイス情報とを順次提示しても良い。例えば、エアコン、換気扇のように宅内に複数存在する電気機器９があり、エアコン、換気扇の名称にアドバイス情報が対応付けてアドバイス情報記憶部３７に記憶されている場合には、エアコン、換気扇といった順序でアドバイス情報を提示することができる。
【００４４】
更にまた、エネルギーマネジメントユニット２の演算部３１は、同じ種類の電気機器グループの総電力使用量が所定の条件を満たした場合に、当該電気機器９に対応したアドバイス情報を提示する処理を行っても良い。この場合、演算部３１は、電気機器グループに含まれる電気機器９の電力使用量が所定の条件を満たした場合に、当該電気機器グループに対応したアドバイス情報を提示する処理を行う。
【００４５】
このために、エネルギーマネジメントユニット２は、電気機器グループごとに総電力使用量の履歴を取得しておく。そして、電気機器グループごとの総電力使用量の履歴に基づいて、総電力使用量の上昇度合いが最も高い電気機器グループを判定してアドバイス情報を提示することや、電気機器グループごとの総電力使用量の目標値を設定して電気機器グループの総電力使用量の履歴と比較してアドバイス情報を提示することができる。
【００４６】
例えば、エネルギーマネジメントユニット２は、電気機器グループとして照明グループが設定されている場合には、図５に示したように分岐ブレーカＩＤが「Ａ」、「Ｂ」の分岐ブレーカ４１の電力使用量を加算して総電力使用量を演算して、照明グループの総電力使用量の履歴と比較してアドバイス情報を提示をすると共に、当該照明グループの総電力使用量の履歴を更新する。そして、宅内に設置された複数の照明が属する照明グループの昨日の電力使用量が電気機器グループのうちで最大となった場合には、演算部３１は、照明に対する省エネのアドバイス情報をアドバイス情報記憶部３７から読み出して、コントロールパネル７に提示させる。これによって、電力管理システムは、省エネに関するアドバイス情報を提供するターゲットを絞り込み、より効率的な省エネ喚起を期待することができる。
【００４７】
更にまた、エネルギーマネジメントユニット２の演算部３１は、同じ場所に設けられた電気機器９からなる場所グループの総電力使用量が所定の条件を満たした場合に、当該場所に対応したアドバイス情報を提示する処理を行っても良い。この場合、演算部３１は、場所グループに含まれる電気機器９の電力使用量が所定の条件を満たした場合に、当該場所グループに対応したアドバイス情報を提示する処理を行う。
【００４８】
このために、エネルギーマネジメントユニット２は、場所グループごとに総電力使用量の履歴を取得しておく。そして、場所グループごとの総電力使用量の履歴に基づいて、総電力使用量の上昇度合いが最も高い場所グループを判定してアドバイス情報を提示することや、場所グループごとの総電力使用量の目標値を設定して場所グループの総電力使用量の履歴と比較してアドバイス情報を提示することができる。
【００４９】
例えば、エネルギーマネジメントユニット２は、場所グループとしてリビンググループが設定されている場合には、図５に示したように、分岐ブレーカＩＤが「Ａ」、「Ｃ」、「Ｄ」の分岐ブレーカ４１の電力使用量を加算して総電力使用量を演算して、リビンググループの総電力使用量の履歴と比較してアドバイス情報を提示をすると共に、当該リビンググループの総電力使用量の履歴を更新する。そして、宅内のリビングに設置された複数の電気機器からなるリビンググループの昨日の電力使用量が、キッチン等といった他の場所グループのうちで最大となった場合には、演算部３１は、リビングに対する省エネのアドバイス情報をアドバイス情報記憶部３７から読み出して、コントロールパネル７に提示させる。これによって、電力管理システムは、省エネに関するアドバイス情報を提供するターゲットを絞り込み、より効率的な省エネ喚起を期待することができる。なお、この場所グループとしては、宅内におけるリビング、キッチンといったような区分けではなく、１階、２階といった区分けで場所グループを形成しても良い。
【００５０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００５１】
【図１】本発明を適用した電力管理システムの構成を示すシステム図である。
【図２】本発明を適用した電力管理システムにおけるエネルギーマネジメントユニットの内部構成を示すブロック図である。
【図３】本発明を適用した電力管理システムに含まれる主幹ブレーカ及び分岐ブレーカの構成例を示す図である。
【図４】本発明を適用した電力管理システムによってアドバイス情報を提示するための画像の遷移について説明する図である。
【図５】本発明を適用した電力管理システムにおける第１対応情報を示す図である。
【図６】本発明を適用した電力管理システムにおける第２対応情報を示す図である。
【図７】本発明を適用した電力管理システムにおける他の第２対応情報を示す図である。
【図８】本発明を適用した電力管理システムにおける他の第２対応情報を示す図である。
【符号の説明】
【００５２】
１  情報ブレーカ
２  エネルギーマネジメントユニット
３  ネットリモコン
４  ネットリモコン
５  ワイヤレスセキュリティネットアダプタ
６  玄関番ネットアダプタ
７  コントロールパネル
８  ナビ／ＰＣ８
９  電気機器
１０  ワイヤレスセキュリティシステム
１１  玄関番システム
１２  センターサーバ
１３  インターネット通信網
１４  モデム
１５  ルータ
２０  携帯端末
３１  演算部
３２  主幹電流検出部
３３  電力演算部
３４  分岐ブレーカ電流検出部
３５  一時分岐ブレーカ
３６  制御部
３７  アドバイス情報記憶部
４０  主幹ブレーカ
４１  分岐ブレーカ
【図１】
0005173356.tif 000002
【図２】
0005173356.tif 000003
【図３】
0005173356.tif 000004
【図４】
0005173356.tif 000005
【図５】
0005173356.tif 000006
【図６】
0005173356.tif 000007
【図７】
0005173356.tif 000008
【図８】
0005173356.tif 000009